(57)【特許請求の範囲】
【請求項１】
板状の表示部品を基板上に支持する表示部品用固定具において、
上面が前記表示部品挿入用に開口されている凹所を形成しているハウジング本体と、
一端側が前記凹所の底面に固定され、他端側が前記凹所の開口部分から突出されて斜め上方に延ばされているとともに、他端側の先端部分に水平方向より差し込まれて来る前記表示部品を上下方向で保持するための係止片を設けて、前記一端側を支点として前記他端側が前記上下方向に前記凹所の内壁に沿って弾性変位可能な翼片と、
前記翼片の他端側が前記凹所内の所定の位置まで弾性変位されると互いに係合されて前記翼片を保持しておくための係合突部と係合凹部を有する係止手段、
とを備えたことを特徴とする表示部品用固定具。
【請求項２】
前記翼片及び前記係止手段を前記ハウジング本体の長手方向に離して一対づつ設けてなる請求項１に記載の表示部品用固定具。
【請求項３】
前記翼片と前記係止手段と前記ハウジング本体を一体に樹脂材で成形してなる請求項１に記載の表示部品用固定具。
【発明の詳細な説明】
【０００１】
【発明の属する技術分野】
本発明は、各種電気機器の印刷配線基板上に電子表示部品等を簡単、かつ安定して固定することができる表示部品用固定具に関するものである。
【０００２】
【従来の技術】
今日、家庭用電気製品、産業用計測機器等には、音量、周波数、回転数、時刻、計測結果等を文字あるいは図形的に表すのに、発光ダイオード、液晶、蛍光表示管等の電子表示部品が取り付けられている。また、これら電子表示部品の機器への取り付けも各種の固定具が提案されており、これは例えば実公平５−６６９７号等で見ることができる。
【０００３】
しかしながら、これらの固定具では、一般に構造が複雑化し、組み付け工数も多くなっている。
すなわち、実公平５−６６９７号に開示される固定具の場合について見ると、この固定具では、載置体の上面に板状の電子表示部品を載せた後で、相対向し合う二方向から別の垂直方向位置決め部材を各々係合させて止める構造を採っている。
【０００４】
【発明が解決しようとする課題】
したがって、上述した実公平５−６６９７号に開示される表示部品用固定具では、動作的には電子部品を載置体上に載せる動作と、右側から臨ませて垂直方向位置決め部材を係合ロックさせる動作と、左側から臨ませて垂直方向位置決め部材を係合ロックさせる動作との、少なくとも３つの動作を必要とすることになる。
このため、組立時の作業工数が多くなり、コストも上がると言う問題点があった。
【０００５】
本発明は、上記問題点に鑑みてなされたものであり、その目的は構造が簡単で、組立工数も少なく、かつ確実に取り付けることができる構造にした表示部品用固定具を提供することにある。
さらに、他の目的は、以下に説明する内容の中で順次明らかにして行く。
【０００６】
【課題を解決するための手段】
上記目的を達成するため本発明は、板状の表示部品を基板上に支持する表示部品用固定具において、上面が前記表示部品挿入用に開口されている凹所を形成しているハウジング本体と、一端側が前記凹所の底面に固定され、他端側が前記凹所の開口部分から突出されて斜め上方に延ばされているとともに、他端側の先端部分に水平方向より差し込まれて来る前記表示部品を上下方向で保持するための係止片を設けて、前記一端側を支点として前記他端側が前記上下方向に前記凹所の内壁に沿って弾性変位可能な翼片と、前記翼片の他端側が前記凹所内の所定の位置まで弾性変位されると互いに係合されて前記翼片を保持しておくための係合突部と係合凹部とを有した係止手段とを備える構成としたものである。
【０００７】
以上の構成によれば、翼片における係止片の部分に水平方向より板状の表示部品を差し込み、次いで翼片を弾性変位させながら表示部品を押下させる。すると、所定の位置まで変位されたところで係合突部と係合凹部とが係合されて、そこで保持され、ハウジング本体の凹所内に収納される。また、収納後は係止片により表示部品の上下方向の移動が規制されて凹所内に確実に保持される。したがって、ほぼ１動作で表示部品をハウジング本体に取り付けることができる。
【０００８】
【発明の実施の形態】
以下、本発明の実施形態例について図面を用いて詳細に説明する。
図１乃至図４は本発明の一実施形態例に係る表示部品用固定具を電子表示部品を装着する前の状態で示すもので、図１はその外観斜視図、図２はその上面図、図３はその側面図、図４は図２のＡ−Ａ線に沿う縦断側面図である。また、図５乃至図８は本発明の一実施例に係る表示部品用固定具を電子表示部品を装着した状態で示すもので、図５はその上面図、図６は図５の矢印Ｂ方向より見た側面図、図７は図５の矢印Ｃ方向より見た側面図、図８は図５のＤ−Ｄ線に沿う縦断側面図である。さらに、図９及び図１０は本発明の一実施例に係る表示部品用固定具を電子表示部品を装着する途中の状態で示すもので、図９はその縦断側面図、図１０は図９のＥ−Ｅ線に沿う縦断側面図である。
【０００９】
図１乃至図１０において、まずこの実施例で取り扱っている表示部品について説明すると、その表示部品５１は電子表示部品を一例としている。その電子表示部品５１は、図５乃至図１０中に示しているように、全体として横に細長い板状に形成されており、表面には表示素子で数字や図形等が表示される表示面５２（図５参照）が設けられ、一側面からは複数のリード端子５３が下方に向かって引き出されている。
【００１０】
次に、表示部品用固定具１の構造について説明する。この固定具１は底壁１ａと、この底壁１ａより同方向に向かって立設されている３つの側壁１ｂ，１ｃ，１ｄとを一体に有して、上面及び一側面が開口された凹所２を設けた樹脂製のハウジング本体３を基体として形成されている。そして、開口された上面（以下、この開口を「表示部品挿入用の開口」と言う）より電子表示部品５１がセットされ、開口された側面（以下、この開口を「側面開口」と言う）で電子表示部品５１のリード端子５３の一部を逃がす構造になっている。
【００１１】
さらに、各部の構成を説明すると、側壁１ｃの一部には、外側に向かって互いに平行する２つの保護壁１ｅ，１ｆが一体に設けられており、この保護壁１ｅ，１ｆの内側に、凹所２内から外部へ通じる通路４が形成されている。
【００１２】
他の側壁１ｂには、側壁１ｃに近い位置と側壁１ｄに近い位置にそれぞれ分かれて、係合凹部５としての貫通穴が略左右対称な状態で形成されている。
【００１３】
底壁１ａには、側面開口に沿って端子保護部６が設けられ、この端子保護部６に電子表示部品５１のリード端子５３が各々通される複数の孔７が上下に貫通して形成されている。また、底壁１ａ上は、大きくは端子保護部６に近い側（以下、「第１の領域」と言う）と側壁１ｃに近い側（以下、「第２の領域」と言う）の、前後２つの領域に分けられている。
【００１４】
上記２つの領域のうち、「第１の領域」には、側壁１ｃに近い位置と側壁１ｄに近い位置にそれぞれ分かれて、一対の弾性片８が左右対称な状態で底壁１ａと一体にして形成されている。なお、各弾性片８は、一端側が内側、他端側が側壁１ｃ，１ｄの方向をそれぞれ向くようにして、一端を底壁１ａに固定させているとともに、他端側を自由端とし、この自由端側が上下方向に揺動できる状態にバネ性が持たされている。また、各弾性片８における自由端の上面には突起部９が設けられている。
そして、この各弾性片８では、後述するようにして電子表示部品５１が凹所２内の所定の位置までセットされると、突起部９が電子表示部品５１の下面に圧接され、第１の領域側において電子表示部品５１に上方への付勢力を常に付与した状態を生成する。
【００１５】
一方、「第２の領域」には、一端側が内側、他端側が側壁１ｃ，１ｄの方向をそれぞれ向くようにして、側壁１ｃに近い位置と側壁１ｄに近い位置とにそれぞれ分かれて、一対の翼片１０が略左右対称な状態で底壁１ａと一体にして形成されている。
その各翼片１０の一端と底壁１ａとの間には、各翼片１０の弾性変位をし易くするためのバネヒンジ部１１が一体に形成されている。また、各翼片１０は、側壁１ｃ，１ｄの方向に進むに従って序々に上方に向かう状態に傾斜されて設けられており、電子表示部品５１がセットされる前の状態では、他端側は凹所２よりも上方に大きく突出されている。
【００１６】
さらに、各翼片１０には、側壁１ｂと隣接している一側に沿って本体部分１０ａから立設されているガイドプレート部１０ｂと、各翼片１０の他端側に位置してガイドプレート部１０ｂから本体部分１０ａと略平行に折り曲げられている係止片部１０ｃとが一体に設けられている。また、ガイドプレート部１０ｂには、側壁１ｂと対向している面側に、係合凹部５と係合可能な係合突部１３が形成されている。
そして、各翼片１０は、他端側が凹所２よりも上方に突出されている状態から、この他端側をバネヒンジ部１１の付勢力に抗して押下させると、ガイドプレート部１０ｂが側壁１ｂの内面に沿い、かつ係合突部１３が側壁１ｂの内面に圧接された状態で変位されて行き、係合突部１３が係合凹部５と対応すると、この係合突部１３が係合凹部５内に落ち込み、この位置で係合保持できる構造になっている。
【００１７】
さらに、上記「第２の領域」には、一対の翼片１０の間に位置して弾性片１４が底壁１ａと一体に形成されている。なお、この弾性片１４は一端側が底壁１ａに固定されているとともに、他端側を自由端とし、この自由端側が上下方向に揺動できる状態にバネ性が持たされた構造になっている。また、自由端の上面には、突起部１５が一体に形成されている。
そして、この各弾性片８では、後述するようにして電子表示部品５１が凹所２内の所定の位置までセットされると、電子表示部品５１の下面に突起部１５が圧接され、第２の領域側において電子表示部品５１に上方への付勢力を常に付与した状態を生成する。
【００１８】
次に、電子表示部品５１を固定具１に取り付ける手順について説明する。まず、図１乃至図４に示すように、電子表示部品５１が取り付けられていない状態では、翼片１０の他端側は凹所２より大きく突出されている。電子表示部品５１は、翼片１０がこの状態にあるときに取り付けられる。
そして、電子表示部品５１を取り付ける場合、リード端子５３を後にし、かつこのリード端子５３の先端を下向にして電子表示部品５１を略水平方向より臨ませ、翼片１０の本体部分１０ａと係止片部１０ｃとの間に進入させ、さらに電子表示部品５１を凹所２に合わせる。すると、電子表示部品５１のリード端子５３が端子保護部６の各孔７と上下方向で対応した状態となる。
【００１９】
続いて、この状態から電子表示部品５１を下方に押す。すると、端子保護部６の各孔７内にリード端子５３が挿入されながら、翼片１０がバネヒンジ部１１の付勢力に抗して電子表示部品５１と共に凹所２内に向かって押下されて行く。所定の位置まで押下されると、図５乃至図８に示すように、係合突部１３が係合凹部５内に落ち込み、この状態が保持される。そして、この状態では、電子表示部品５１の表示面（上面）側に係止片部１０ｃが配置されているので、電子表示部品５１の上方向への移動は係止片部１０ｃにより抑えられ、水平方向への移動はリード端子５３が端子保護部６の各孔７に挿入されていることによって抑えられる。また、この所定位置に配置された状態では、電子表示部品５１の底面に弾性片８及び弾性片１４の各自由端部が当接されてバイアスし、上下方向のガタ付きを抑える。
【００２０】
したがって、本実施例の構成による固定具１によれば、翼片１０における係止片部１０ｃに水平方向より板状の電子表示部品５１を差し込み、翼片１０を弾性変位させながら電子表示部品５１を押下させ、所定の位置まで変位されると係合突部１３と係合凹部５とが係合されてハウジング本体３の凹所２内に収納され、収納後は係止片１０ｃにより上下方向の移動が規制されて電子表示部品５１が凹所２内に確実に保持されることになるので、ほぼ１動作で電子表示部品５１をハウジング３に取り付けることができることになる。
【００２１】
なお、上記実施例では、一対の翼片１０を設けた構造を開示したが、片方の翼片１０だけであっても差し支えないものである。
また、電子表示部品５１を固定する場合について説明したが、電子表示部品以外の一般的な表示部品を取り付ける手段としても適用できるものである。
さらに、係合凹部５をガイドプレート部１０ｂ側に設け、係合突部１３を側壁１ｂ側に設けた構造としても良いものである。
【００２２】
【発明の効果】
以上説明したとおり、本発明によれば、翼片における係止片の部分に水平方向より板状の表示部品を差し込み、そのまま押下させるとハウジング本体の凹所内に収納されると言うように、ほぼ１動作で表示部品をハウジング本体に取り付けることができるので、作業工数が減り、また構造も簡単で全体のコストを下げることができる等の効果が期待できる。
【図面の簡単な説明】
【図１】電子表示部品を装着する前の状態で示す実施形態例固定具の外観斜視図である。
【図２】電子表示部品を装着する前の状態で示す実施形態例固定具の上面図である。
【図３】電子表示部品を装着する前の状態で示す実施形態例固定具の側面図である。
【図４】図２のＡ−Ａ線に沿う縦断側面図である。
【図５】電子表示部品を装着した後の状態で示す実施形態例固定具の上面図である。
【図６】図５の矢印Ｂ方向より見た側面図である。
【図７】図５の矢印Ｃ方向より見た側面図である。
【図８】図５のＤ−Ｄ線に沿う縦断側面図である。
【図９】電子表示部品を装着する途中の状態で示す実施形態例固定具の縦断側面図である。
【図１０】図９のＥ−Ｅ線に沿う縦断側面図である。
【符号の説明】
１  表示部品用固定具
２  凹所
３  ハウジング本体
５  係合凹部
１０  翼片
１３  係合突部
５１  電子表示部品
【図１】
0003659360.tif 000002
【図２】
0003659360.tif 000003
【図３】
0003659360.tif 000004
【図４】
0003659360.tif 000005
【図５】
0003659360.tif 000006
【図６】
0003659360.tif 000007
【図７】
0003659360.tif 000008
【図８】
0003659360.tif 000009
【図９】
0003659360.tif 000010
【図１０】
0003659360.tif 000011